(57)【要約】【課題】照明機器としての機能を備えたプロジェクターの利便性を向上させること。【解決手段】プロジェクターが、受電端子と、前記受電端子に供給された電力によって点灯する光源と、前記光源からの光の拡散度を調整する光拡散装置と、前記受電端子へ電力が供給され始められる毎に、照明投写および画像投写のどちらか一方を交互に指定する指定部と、前記指定部により前記照明投写が指定された場合に前記光拡散装置が前記光源からの光を拡散し、前記画像投写が指定された場合に前記光拡散装置が前記光を実質的に拡散しないで透過するように、前記光拡散装置を制御する光拡散コントローラーと、を備えている。【選択図】図３
2014102270.tif 000002
【特許請求の範囲】
【請求項１】
受電端子と、
前記受電端子に供給された電力によって点灯する光源と、
前記光源からの光の拡散度を調整する光拡散装置と、
前記受電端子へ電力が供給され始める毎に第１の投写および第２の投写の一方を交互に指定する指定部と、
前記指定部により前記第１の投写が指定された場合に前記光拡散装置が前記光源からの光を拡散し、前記第２の投写が指定された場合に前記光拡散装置が前記光を実質的に拡散しないで透過するように、前記光拡散装置を制御する光拡散コントローラーと、
を備えたプロジェクター。
【請求項２】
請求項１に記載のプロジェクターであって、
前記光拡散装置はＰＤＬＣ装置を含む、
プロジェクター。
【請求項３】
請求項１又は２に記載のプロジェクターであって、
前記光拡散装置はフォーカス調整レンズを含む、
プロジェクター。
【請求項４】
受電端子と、
前記受電端子に供給された電力によって点灯する光源と、
前記光源からの光の拡散度を調整する光拡散装置と、
を備えたプロジェクターの制御方法であって、
前記受電端子へ電力が供給され始める毎に第１の投写および第２の投写の一方を交互に指定するステップＡと、
前記ステップＡにより前記第１の投写が指定された場合に前記光拡散装置が前記光源からの光を拡散するステップＢと、
前記ステップＡにより前記第２の投写が指定された場合に前記光拡散装置が前記光を実質的に拡散しないで透過するステップＣと、
を包含したプロジェクターの制御方法。
【請求項５】
光源と、
前記光源からの光の拡散度を調整する光拡散装置と、
コンテンツを再生する表示コントローラーと、
前記コンテンツの再生に応じて前記光源からの光を変調する空間光変調装置と、
前記表示コントローラーが前記コンテンツを再生する場合に前記光拡散装置が前記光源からの光を実質的に拡散しないで透過するように前記光拡散装置を制御する光拡散コントローラーと、を備え、
前記光拡散コントローラーは、前記コンテンツの再生が終了した場合に前記光源からの光を拡散するように前記光拡散装置を制御する、
プロジェクター。
【請求項６】
請求項５に記載のプロジェクターであって、
前記光拡散装置はＰＤＬＣ装置を含む、
プロジェクター。
【請求項７】
請求項５又は６に記載のプロジェクターであって、
前記光拡散装置はフォーカス調整レンズを含む、
プロジェクター。
【請求項８】
光源と、
前記光源からの光の拡散度を調整する光拡散装置と、
コンテンツを再生する表示コントローラーと、
前記コンテンツの再生に応じて前記光源からの光を変調する空間光変調装置と、
を備えたプロジェクターの制御方法であって、
前記表示コントローラーが前記コンテンツを再生するステップＡと、
前記表示コントローラーが前記コンテンツを再生する場合に前記光拡散装置が前記光源からの光を実質的に拡散しないで透過するように前記光拡散装置を制御するステップＢと、
前記コンテンツの再生が終了した場合に前記光拡散装置が前記光源からの光を拡散するように前記光拡散装置を制御するステップＣと、
を包含したプロジェクターの制御方法。
【請求項９】
光源と、
前記光源からの光の拡散度を調整する光拡散装置と、
所定のトリガーを受け入れるインターフェイス部と、
前記インターフェイス部が前記トリガーを待ち始めてから所定期間内に前記トリガーを受け入れた場合に、コンテンツを再生する表示コントローラーと、
前記コンテンツの再生に応じて前記光源からの光を変調する空間光変調装置と、
前記表示コントローラーが前記コンテンツを再生する場合に前記光拡散装置が前記光源からの光を実質的に拡散しないで透過するように前記光拡散装置を制御する光拡散コントローラーと、を備え、
前記光拡散コントローラーは、前記インターフェイス部が前記所定期間内に前記トリガーを受け入れない場合に、前記光源からの光を拡散するように前記光拡散装置を制御する、プロジェクター。
【請求項１０】
請求項９に記載のプロジェクターであって、
前記トリガーは、前記コンテンツの再生を指示するコマンドである、
プロジェクター。
【請求項１１】
請求項９に記載のプロジェクターであって、
前記トリガーは、再生すべき前記コンテンツである、
プロジェクター。
【請求項１２】
請求項９〜１１のいずれか一項に記載のプロジェクターであって、
前記光拡散装置はＰＤＬＣ装置を含む、
プロジェクター。
【請求項１３】
請求項９〜１２のいずれか一項に記載のプロジェクターであって、
前記光拡散装置はフォーカス調整レンズを含む、
プロジェクター。
【請求項１４】
光源と、
前記光源からの光の拡散度を調整する光拡散装置と、
所定のトリガーを受け入れるインターフェイス部と、
コンテンツを再生する表示コントローラーと、
前記コンテンツの再生に応じて前記光源からの光を変調する空間光変調装置と、
を備えたプロジェクターの制御方法であって、
前記インターフェイス部が前記トリガーを待ち始めるステップＡと、
前記インターフェイス部が前記トリガーを待ち始めてから所定期間内に前記トリガーを受け入れた場合に、前記表示コントローラーが前記コンテンツを再生するステップＢと、
前記表示コントローラーが前記コンテンツを再生する場合に前記光拡散装置が前記光源からの光を実質的に拡散しないで透過するように前記光拡散装置を制御するステップＣと、
前記インターフェイス部が前記所定期間内に前記トリガーを受け入れない場合に、前記光拡散装置が前記光源からの光を拡散するように前記光拡散装置を制御するステップＤと、
を包含したプロジェクターの制御方法。
【発明の詳細な説明】
【技術分野】
【０００１】
本発明は、照明機器としての機能を備えたプロジェクターおよびその制御方法に関する。
【背景技術】
【０００２】
照明機器用のソケットなど給電端子に固定され、当該給電端子から電力の供給を受けるプロジェクターが知られている（図１０、特許文献１、および特許文献２）。また、発光ダイオードを光源とした照明器具において、その発光ダイオードからの光を高分子分散型液晶調光シャッターにより必要に応じて拡散させ調光させることが知られている（特許文献３）。また、ＡＣ電源を入力するとダイレクトに表示装置のランプが点灯するモードを有する画像表示装置が知られている（特許文献４）。
【先行技術文献】
【特許文献】
【０００３】
【特許文献１】特開２００５−９９５８８号公報
【特許文献２】特開２００６−２２７１４３号公報
【特許文献３】特開２０１０−２７５８６号公報
【特許文献４】特開２００７−７２３２２号公報
【発明の概要】
【発明が解決しようとする課題】
【０００４】
照明機器としての機能を備えたプロジェクターを提供するとき、プロジェクターが照明機器としての機能を備えるがゆえに、ユーザーに煩雑さを感じさせることになり得る。しかしながら、上記特許文献には、このような課題に関する知見がない。
【課題を解決するための手段】
【０００５】
本発明は、上述の課題の少なくとも一部を解決するためになされたものであり、以下の形態または適用例として実現することが可能である。
【０００６】
［適用例１］本発明のある態様によれば、プロジェクターが、受電端子と、前記受電端子に供給された電力によって点灯する光源と、前記光源からの光の拡散度を調整する光拡散装置と、前記受電端子へ電力が供給され始める毎に第１の投写および第２の投写の一方を交互に指定する指定部と、前記指定部により前記第１の投写が指定された場合に前記光拡散装置が前記光源からの光を拡散し、前記第２の投写が指定された場合に前記光拡散装置が前記光を実質的に拡散しないで透過するように、前記光拡散装置を制御する光拡散コントローラーと、を備えている。  
【０００７】
［適用例２］本発明の他の態様によれば、前記光拡散装置はＰＤＬＣ装置を含む。
【０００８】
［適用例３］本発明の他の態様によれば、前記光拡散装置はフォーカス調整レンズを含む。
【０００９】
［適用例４］本発明の他の態様によれば、受電端子と、前記受電端子に供給された電力によって点灯する光源と、前記光源からの光の拡散度を調整する光拡散装置と、を備えたプロジェクターの制御方法が、前記受電端子へ電力が供給され始める毎に第１の投写および第２の投写の一方を交互に指定するステップＡと、前記ステップＡにより前記第１の投写が指定された場合に前記光拡散装置が前記光源からの光を拡散するステップＢと、前記ステップＡにより前記第２の投写が指定された場合に前記光拡散装置が前記光を実質的に拡散しないで透過するステップＣと、を包含している。
【００１０】
以上の構成によれば、受電端子への電力が供給され始める毎に第１の投写および第２の投写の一方が交互に指定され、第１の投写が指定された場合に光源からの光が拡散される。このため、受電端子への電力の供給と停止とを繰り返すことで、選択的に照明機器として機能を発揮するプロジェクターが得られる。
【００１１】
［適用例５］本発明の他の態様によれば、プロジェクターが、光源と、前記光源からの光の拡散度を調整する光拡散装置と、コンテンツを再生する表示コントローラーと、前記コンテンツの再生に応じて前記光源からの光を変調する空間光変調装置と、前記表示コントローラーが前記コンテンツを再生する場合に前記光拡散装置が前記光源からの光を実質的に拡散しないで透過するように前記光拡散装置を制御する光拡散コントローラーと、を備え、前記光拡散コントローラーは、前記コンテンツの再生が終了した場合に前記光源からの光を拡散するように前記光拡散装置を制御する。
【００１２】
［適用例６］本発明の他の態様によれば、前記光拡散装置はＰＤＬＣ装置を含む。
【００１３】
［適用例７］本発明の他の態様によれば、前記光拡散装置はフォーカス調整レンズを含む。
【００１４】
［適用例８］本発明の他の態様によれば、光源と、前記光源からの光の拡散度を調整する光拡散装置と、コンテンツを再生する表示コントローラーと、前記コンテンツの再生に応じて前記光源からの光を変調する空間光変調装置と、を備えたプロジェクターの制御方法が、前記表示コントローラーが前記コンテンツを再生するステップＡと、前記表示コントローラーが前記コンテンツを再生する場合に前記光拡散装置が前記光源からの光を実質的に拡散しないで透過するように前記光拡散装置を制御するステップＢと、前記コンテンツの再生が終了した場合に前記光拡散装置が前記光源からの光を拡散するように前記光拡散装置を制御するステップＣと、を包含している。
【００１５】
以上の構成によれば、コンテンツの再生が終了した場合に、光源からの光は拡散される。このため、コンテンツの再生が終了した場合に、照明機器としての機能を発揮し始めるプロジェクターが得られる。
【００１６】
［適用例９］本発明の他の態様によれば、プロジェクターが、光源と、前記光源からの光の拡散度を調整する光拡散装置と、所定のトリガーを受け入れるインターフェイス部と、前記インターフェイス部が前記トリガーを待ち始めてから所定期間内に前記トリガーを受け入れた場合に、コンテンツを再生する表示コントローラーと、前記コンテンツの再生に応じて前記光源からの光を変調する空間光変調装置と、前記表示コントローラーが前記コンテンツを再生する場合に前記光拡散装置が前記光源からの光を実質的に拡散しないで透過するように前記光拡散装置を制御する光拡散コントローラーと、を備え、前記光拡散コントローラーは、前記インターフェイス部が前記所定期間内に前記トリガーを受け入れない場合に、前記光源からの光を拡散するように前記光拡散装置を制御する。
【００１７】
［適用例１０］本発明の他の態様によれば、前記トリガーは、前記コンテンツの再生を指示するコマンドである。
【００１８】
［適用例１１］本発明の他の態様によれば、前記トリガーは、再生すべき前記コンテンツである。
【００１９】
［適用例１２］本発明の他の態様によれば、前記光拡散装置はＰＤＬＣ装置を含む。
【００２０】
［適用例１３］本発明の他の態様によれば、前記光拡散装置はフォーカス調整レンズを含む。
【００２１】
［適用例１４］本発明の他の態様によれば、光源と、前記光源からの光の拡散度を調整する光拡散装置と、所定のトリガーを受け入れるインターフェイス部と、コンテンツを再生する表示コントローラーと、前記コンテンツの再生に応じて前記光源からの光を変調する空間光変調装置と、を備えたプロジェクターの制御方法が、前記インターフェイス部が前記トリガーを待ち始めるステップＡと、前記インターフェイス部が前記トリガーを待ち始めてから所定期間内に前記トリガーを受け入れた場合に、前記表示コントローラーが前記コンテンツを再生するステップＢと、前記表示コントローラーが前記コンテンツを再生する場合に前記光拡散装置が前記光源からの光を実質的に拡散しないで透過するように前記光拡散装置を制御するステップＣと、前記インターフェイス部が前記所定期間内に前記トリガーを受け入れない場合に、前記光拡散装置が前記光源からの光を拡散するように前記光拡散装置を制御するステップＤと、を包含している。
【００２２】
以上の構成によれば、所定期間内にインターフェイス部が所定トリガーを受け入れない場合に、光源からの光は拡散される。このため、所定期間内にインターフェイス部が所定トリガーを受け入れない場合に、照明機器としての機能を発揮し始めるプロジェクターが得られる。ここで、所定トリガーとは、たとえば、コンテンツを再生するためのコマンドの入力であったり、コンテンツを再生することを指示する筐体上のボタンが押されることであったり、外部からのコンテンツそのものの入力であったりする。
【図面の簡単な説明】
【００２３】
【図１】本実施形態のプロジェクターの模式図。
【図２】本実施形態のプロジェクターの機能ブロック図。
【図３】本実施形態のプロジェクターの動作を示すフロー図。
【図４】本実施形態のプロジェクターの光源の駆動方法を説明するタイミングチャートであり、（Ａ）は通常モードを示し、（Ｂ）は高速モードを示す。
【図５】本実施形態のプロジェクターのハードウエア構成を示す模式図。
【図６】本実施形態のプロジェクターの動作を示すフロー図。
【図７】本実施形態のプロジェクターの動作を示すフロー図。
【図８】本実施形態の光拡散装置が拡散板を備える場合の模式図。
【図９】本実施形態の光拡散装置がフォーカス調整レンズを備える場合の模式図。
【図１０】（Ａ）および（Ｂ）は、照明機器用の給電端子に設けられるプロジェクターを示す図である。
【発明を実施するための形態】
【００２４】
（実施形態１）
（１．プロジェクターの構成）
図１に示すとおり、プロジェクター１００は、光源１と、光源１を駆動する光源コントローラー２と、光源１からの光を変調する空間光変調装置３と、空間光変調装置３に画像を書き込む表示コントローラー４と、光源１からの光が空間光変調装置３に照射されるように設けられた照射光学系５と、空間光変調装置３によって変調された光を投写する投写光学系６と、投写光学系６からの光の拡散度を調整する光拡散装置７と、光拡散装置７を制御する光拡散コントローラー８と、を備えている。
【００２５】
図２に示すとおり、さらにプロジェクター１００は、プロジェクター１００が機能するための電力を外部の電源から給電端子（不図示）を介して受ける受電端子９と、指定部１０と、を備えている。受電端子９に供給される電力は、交流でも直流でもよい。
【００２６】
また、プロジェクター１００は、インターフェイス部１１を備えている。インターフェイス部１１は、通信部の一種である無線ＬＡＮアダプター１２（図５）を備えている。さらに、インターフェイス部１１は、ＩＲ受信回路２７（図５）を備えており、ユーザーが使用するリモートコントローラーからのコマンドを受信する。インターフェイス部１１の機能によって、プロジェクター１００は、外部ネットワーク（不図示）からプロジェクター１００に対するコマンドを受信することができる。さらに、インターフェイス部１１の機能によって、プロジェクター１００は、図示しない外部のサーバーコンピューター、パーソナルコンピューター、スマートフォンまたはタブレットコンピューターの記憶部に格納された画像を投写することができる。
【００２７】
さらに、プロジェクター１００は、フラッシュドライブを含むＳＳＤ（Ｓｏｌｉｄ  Ｓｔａｔｅ  Ｄｒｉｖｅ）１３と、メモリーカードＩ／Ｏ（Ｉｎｐｕｔ／Ｏｕｔｐｕｔ）回路（カードスロットを含む）１４と、を備えている。これらＳＳＤ１３、またはカードスロットに挿入されたメモリーカード（不図示）には、プロジェクター１００が投写する画像が記憶されている。記憶されている画像は、インターフェイス部１１の機能により、外部ネットワーク経由で書き換え可能である。
【００２８】
本明細書において「画像」は、静止画と動画とを包含する用語として定義されている。静止画は、スライドショーのように経時変化するものを含み、音声が伴われていてもよい。また、「画像」は、表示または投写される静止画または動画そのものを意味する場合もあるし、静止画または動画を表示／投写するためのデータ（ストリーミングデータを含む）を意味する場合もある。
【００２９】
光源１は、Ｒ（赤色光）に対応したＬＥＤと、Ｇ（緑色光）に対応したＬＥＤと、Ｂ（青色光）に対応したＬＥＤと、を備え、以下ではＲＧＢ光源１Ｒ，１Ｇ，１Ｂとも表記される。Ｒ，Ｇ、Ｂは、フルカラーを表示するための典型的な要素色の組合せ例である。よって、本実施形態の光源１は３つの異なる要素色に対応した３つのＬＥＤを含むが、他の実施形態では４つ以上の異なる要素色に対応したＬＥＤを含んでもよいし、２つの異なる要素色に対応したＬＥＤを含んでもよい。また、光源１は、ＬＥＤに代えて、有機または無機の半導体レーザー、または有機ＥＬ（エレクトロルミネッセント）素子を含んでもよいし、ＬＥＤまたはレーザーを励起光源とする蛍光体を含んでいてもよい。
【００３０】
照射光学系５は、ＲＧＢ光源１Ｒ，１Ｇ，１Ｂのそれぞれからの光（光ビーム）の光路を合成するダイクロイックプリズムと、フライアイレンズを含んだインテグレーターと、インテグレーターからの光の偏光を一つに揃える偏光変換素子と、を備えている。
【００３１】
本実施形態の空間光変調装置３は、単板の透過型液晶ライトバルブである。本実施形態の液晶ライトバルブは、一対の偏光板とその間に位置した液晶パネルとを含んでいる。後で詳述するように、ＲＧＢ光源１Ｒ，１Ｇ，１Ｂと空間光変調装置３とは、ＲＧＢシーケンシャル方式、すなわち色順次方式によって駆動される。そしてこのことによって、プロジェクター１００はフルカラーの照明または画像を投写し得る。
【００３２】
光拡散装置７は、投写光学系６が投写する光の光路上に位置している。光拡散装置７は、透過型のリバースモードＰＤＬＣ装置を含む。ＰＤＬＣは高分子分散液晶のことである。図示はしないが、リバースモードＰＤＬＣ装置は、一対の光透過性を有した電極と、当該一対の電極間に位置したリバースモードＰＤＬＣ層と、を含んでいる。
【００３３】
一対の電極間に電位差がない場合には、リバースモードＰＤＬＣ層は光透過性を呈し、この結果、光は実質的な拡散を受けずに光拡散装置７を透過する。このときの光拡散装置７は非拡散状態にあると表現される。
【００３４】
一方、一対の電極間に所定電位差が与えられた場合には、リバースモードＰＤＬＣ層は光拡散性を呈し、この結果、光は拡散されて光拡散装置７を透過する。このときの光拡散装置７は拡散状態にあると表現される。
【００３５】
さらに、一対の電極間に与えられた電位差が０と所定電位差との間の中間的なものである場合には、リバースモードＰＤＬＣ層はその電位に応じた中間的な光拡散性を呈し、この結果、光は適度に拡散されて光拡散装置７を透過する。このときの光拡散装置７は中間的な拡散状態にあると表現される。
【００３６】
このように、光拡散装置７は、プロジェクター１００が投写する画像または照明の拡散度を調整することができる。
【００３７】
リバースモードＰＤＬＣ層が光透過性を呈するときの透明度は、通常のＰＤＬＣ層が光透過性を呈するときの透明度よりも高い。このことは、光拡散装置７がリバースモードＰＤＬＣ層（またはリバースモードＰＤＬＣ装置）を備えることの利点の一つである。なお、用語「ＰＤＬＣ」は、「リバースモードＰＤＬＣ」と通常の「ＰＤＬＣ」との双方を包含するように定義されている。
【００３８】
本実施形態の受電端子９は口金である。つまり、受電端子９は、照明機器用の給電端子の一例である口金用ソケットにねじ込まれて固定され、当該口金用ソケットから電力の供給を受ける構造を有している。なお、受電端子９は、照明機器用の給電端子だけでなく通常の給電端子としてのコンセントに接続されるプラグであってもよい。この場合には、プロジェクター１００は、受電端子９であるプラグとプロジェクター１００本体との間を電気的に結ぶコードを備えていてもよい。
【００３９】
指定部１０は、不揮発性メモリーである記憶部１０Ａを含んでいる。指定部１０は、受電端子９に電力が供給され始めたことを検出する。そして、指定部１０は、受電端子９に電力が供給され始めるごとに、第１の投写および第２の投写の一方を交互に指定する。そして、プロジェクター１００は、この指定に応じて、照明機器としての機能を発揮したり停止したりする。なお、本実施形態では、第１の投写は「照明投写」であり、第２の投写を「画像投写」である。なお、「照明投写」の定義と「画像投写」の定義とは、下記（５．「照明投写」と「画像投写」）において後述する。
【００４０】
（２．プロジェクターの機能）
以下では、プロジェクター１００の機能の概要を説明する。
【００４１】
あるタイミングで、たとえばユーザーが、給電端子（不図示）に電力を供給するスイッチ（不図示）を開（ＯＦＦ）から閉（ＯＮ）にする。そうすると、給電端子から受電端子９に電力が供給され始め、この結果、プロジェクター１００は照明投写を始める。
【００４２】
その後、ユーザーが当該スイッチを閉（ＯＮ）から開（ＯＦＦ）にする。そうすると、受電端子９への電力の供給は停止され、この結果、プロジェクター１００は投写を停止する。
【００４３】
その後、ユーザーが当該スイッチを開（ＯＦＦ）から閉（ＯＮ）にする。そうすると、給電端子から受電端子９に電力が供給され始め、その結果、プロジェクター１００は画像投写を始める。
【００４４】
その後、ユーザーが当該スイッチを閉（ＯＮ）から開（ＯＦＦ）にする。そうすると、受電端子９への電力の供給は停止され、この結果、プロジェクター１００は投写を停止する。
【００４５】
その後、ユーザーが当該スイッチを開（ＯＦＦ）から閉（ＯＮ）にする。そうすると、給電端子から受電端子９に電力が供給され始め、その結果、プロジェクター１００は、再び、照明投写を始める。
【００４６】
図３を参照しながら、プロジェクター１００の上記機能をさらに詳細に説明する。
【００４７】
図３に示すとおり、あるタイミングでユーザーが、給電端子（不図示）に電力を供給するスイッチ（不図示）を開（ＯＦＦ）から閉（ＯＮ）にする。そうすると、給電端子から受電端子９に電力が供給され始める（Ｓ０）。つまり、プロジェクター１００に主電源が供給され始める。ここで、電力または主電源が供給され始めるというのは、本実施形態では、受電端子９への電力の電圧が、無電圧からプロジェクター１００が照明または画像を投写するのに必要な電圧に変化することであるが、他の実施形態では、プロジェクター１００が照明または画像を投写するには十分でない電圧から上記必要な電圧に変化することであってもよい。
【００４８】
受電端子９への電力の供給が始まると、指定部１０が起動する。指定部１０は、記憶部１０Ａ（不揮発性メモリー）に記憶されていたＮの値を読み出し、読み出した当該Ｎの値をインクリメント（元の値に「１」を加算）する（Ｓ１）。たとえば、記憶されていたＮの値が「０」の場合には、ステップＳ１によってＮの値は「１」になる。ここで、「Ｎ」は整数型の変数であるが、変数の型はこれに限定されない。ステップＳ１においてインクリメントされたＮの値は記憶部１０Ａに記憶される。
【００４９】
本実施形態では、以下で説明するように、「１」の値を持ったＮが「照明投写」を意味し、「１」以外の値を持ったＮが「画像投写」を意味する。「照明投写」の定義と「画像投写」の定義とは、下記（５．「照明投写」と「画像投写」）において後述する。
【００５０】
次に、指定部１０は、Ｎの値が「１」か否かを判定する（Ｓ２）。Ｎの値が「１」の場合には、光拡散コントローラー８は、光拡散装置７が拡散状態にあるように光拡散装置７を制御する（Ｓ３）。本実施形態では、光拡散装置７がリバースモードＰＤＬＣ層を含むので、リバースモードＰＤＬＣ層を挟む一対の電極間に所定電位差が与えられることとなる。なお、光拡散装置７が通常のＰＤＬＣ層を含む場合には、一対の電極間に電位差が与えられないように、光拡散コントローラー８が光拡散装置７を制御する（このとき例えば、何もしなくてもよい）。リバースモードＰＤＬＣ層と通常のＰＤＬＣ層とでは、電位差の有無に応じて生じる拡散状態と非拡散状態とが逆だからである。
【００５１】
また、Ｎの値が「１」の場合（Ｓ２：ＹＥＳ）には、光源コントローラー２がＲＧＢ光源１Ｒ，１Ｇ，１Ｂを点灯し始める。このとき光源コントローラー２は、後述する「高速モード」でＲＧＢ光源１Ｒ，１Ｇ，１Ｂを駆動する（Ｓ４）。なお、ここで、光源コントローラー２がＲＧＢ光源１Ｒ，１Ｇ，１Ｂを点灯し始めるためのトリガーは、指定部１０の上記判定をトリガーにしてもよいし、上記判定後の他のステップの開始をトリガーにしてもよい。この点は、光拡散コントローラー８の動作の開始および表示コントローラー４の動作の開始に関して、同様である。
【００５２】
なお、光源１の点灯が始まるタイミングと、光拡散装置７が光を拡散するようになるタイミングとは、前後を問わないし同時でもよい。
【００５３】
また、Ｎの値が「１」の場合には、図示はしないが、表示コントローラー４が照明投写用のコンテンツを再生し始めてもよい。この場合には、具体的には、表示コントローラー４が、空間光変調装置３に照明投写用の画像を書き込み始める。照明投写用の画像とは、典型的には輝度が画像に亘って一様なものであるが、周辺部の輝度が中央部の輝度よりも相対的に低い画像でも高い画像でもよい。照明投写用の画像は、図５を参照して後述する制御部２３における不揮発性メモリーまたはＲＯＭに記憶されているが、ＳＳＤ１３、メモリーカード、またはネットワーク上の記憶装置に記憶されていてもよい。空間光変調装置３は、書き込まれた画像に応じてＲＧＢ光源１Ｒ，１Ｇ，１Ｂからの光を変調することとなる。ただし、空間光変調装置３がノーマリーホワイト（パラニコル）の液晶ライトバルブを含む場合には、画像が書き込まれなくても空間光変調装置３は光を一様に透過することから、この場合には、表示コントローラー４が空間光変調装置３に対して画像を書き込むことがなくてもよい。このように、照明投写用のコンテンツを再生するステップがなくてもよい。
【００５４】
以上の処理を経て、ＲＧＢ光源１Ｒ，１Ｇ，１Ｂからの光は、空間光変調装置３と投写光学系６とを経由し、光拡散装置７によって拡散される。この結果、プロジェクター１００は照明を投写する。便宜上、照明を「投写する」と表現しているが、ＲＧＢ光源１Ｒ，１Ｇ，１Ｂの光は光拡散装置７によって拡散されていることから、室内などを照らすのに適した柔らかな灯を提供することができる。したがって、プロジェクター１００は照明機器として利用され得る。
【００５５】
そして、プロジェクター１００は、照明を投写しつつ、受電端子９への電力の供給が停止されるのを待つ状態になる（Ｓ５：ＮＯ）。受電端子９への電力の供給が停止された場合（Ｓ５：ＹＥＳ）には、プロジェクター１００は動作を停止する（Ｓ６）。
【００５６】
Ｎの値が「１」でない場合（Ｓ２：ＮＯ）には、指定部１０はＮの値を「０」とする（Ｓ７）。「０」とされたＮの値は、記憶部１０Ａに記憶される。
【００５７】
また、Ｎの値が「１」でない場合（Ｓ２：ＮＯ）には、光拡散コントローラー８は、光拡散装置７が非拡散状態にあるように光拡散装置７を制御する（Ｓ８）。本実施形態では、リバースモードＰＤＬＣ層を挟む一対の電極間に所定電位差が与えられないこととなる。なお、光拡散装置７が通常のＰＤＬＣ層を含む場合には、一対の電極間に電位差が与えられるように、光拡散コントローラー８が光拡散装置７を制御する。そして、光源コントローラー２がＲＧＢ光源１Ｒ，１Ｇ，１Ｂを点灯し始める。このとき光源コントローラー２は、後述する「通常モード」でＲＧＢ光源１Ｒ，１Ｇ，１Ｂを駆動する（Ｓ９）。ここで、光拡散装置７が非拡散状態にあるから、ＲＧＢ光源１Ｒ，１Ｇ，１Ｂからの光は光拡散装置７を実質的に拡散しないで透過する。なお、光源１の点灯が始まるタイミングと、光拡散装置７が光を実質的に拡散しないようになるタイミングとは、前後を問わないし同時でもよい。
【００５８】
さらに、Ｎの値が「１」でない場合（Ｓ２：ＮＯ）には、表示コントローラー４が画像投写用のコンテンツを再生し始める（Ｓ１０）。具体的には、表示コントローラー４が、画像投写用の画像を空間光変調装置３に書き込み始める。
【００５９】
以上の処理を経て、ＲＧＢ光源１Ｒ，１Ｇ，１Ｂからの光は、空間光変調装置３に書き込まれた画像に応じて変調され、投写光学系６によって投写される。ここで、光拡散装置７は非拡散状態にあるので、空間光変調装置３によって変調された光は実質的に拡散されずに光拡散装置７を透過する。そして、この結果、明瞭および／または明るい画像が投写される。ここで投写される画像として、情報を提供するコンピューター画面だけでなく、絵画の画像、写真なども有効である。また、インターネット上の写真共有サイトのＡＰＩ（Ａｐｐｌｉｃａｔｉｏｎ  Ｐｒｏｇｒａｍ  Ｉｎｔｅｒｆａｃｅ）に対応したソフトウエアをプロジェクター１００における制御部２３（図５）に実装して、当該サイト上で特定の属性情報（たとえば使用許可）が付された写真だけを自動的に選択して投写することもできる。
【００６０】
そして、プロジェクター１００は、画像を投写しつつ、受電端子９への電力の供給が停止されるのを待つ状態になる（Ｓ１１：ＮＯ）。受電端子９への電力の供給が停止された場合（Ｓ１１：ＹＥＳ）には、プロジェクター１００は投写を停止する（Ｓ１２）。
【００６１】
以上の構成によって、受電端子９への電力の供給の開始と停止とを繰り返すことで、選択的に照明機器としての機能を発揮するプロジェクター１００が実現する。受電端子９への電力の供給の開始と停止とは、たとえば、ユーザーが、給電端子に電力を供給するためのスイッチのＯＮとＯＦＦとを繰り返すことでできる場合があるから、プロジェクター１００は利便性に優れる。
【００６２】
（３．ＲＧＢ光源の駆動モード）
次にＲＧＢ光源１Ｒ，１Ｇ，１Ｂの駆動方法を説明する。
【００６３】
（３．１  通常モード）
図４（Ａ）に示すとおり、ＲＧＢシーケンシャル駆動、すなわち色順次駆動においては、フルカラーの１フレームが、時間的に連続した３つのフィールド画像で表現される。倍速駆動がない場合、ソースの画像のフレーム周波数Ｆframeが６０Ｈｚであれば、フィールド画像のＲＧＢ繰り返し周波数Ｆfieldは６０Ｈｚである。また、たとえば３倍速駆動の場合に、ソースの画像のフレーム周波数Ｆframeが６０Ｈｚであれば、フィールド画像のＲＧＢ繰り返し周波数Ｆfieldは１８０Ｈｚとなる。通常モードでＲＧＢ光源１Ｒ，１Ｇ，１Ｂを駆動する場合、ＲＧＢのフィールド画像に対応してＲ，Ｇ、ＢのＬＥＤも順次繰り返して駆動されるが、このときのＲＧＢ光源１Ｒ，１Ｇ，１Ｂの繰り返し周波数ＦＬnormalは６０Ｈｚ（３倍速駆動の場合は１８０Ｈｚ）となる。つまり、通常モードでは、フィールド画像のＲＧＢ繰り返し周波数Ｆfieldと、順次駆動されるＲＧＢ光源１Ｒ，１Ｇ，１Ｂの繰り返し周波数ＦＬnormalとが、同じである。なお、要素色の数も要素光源の数も３より多くてかまわない。
【００６４】
（３．２  高速モード）
図４（Ｂ）に示すとおり、高速モードの場合のＲＧＢ光源１Ｒ，１Ｇ，１Ｂの繰り返し周波数ＦＬhighは、通常モードの場合に空間光変調装置３に書き込まれていたフィールド画像のＲＧＢ繰り返し周波数Ｆfieldよりも高い。
【００６５】
もちろん、通常モードと高速モードとを定義するときに、単に、ＲＧＢ光源１Ｒ，１Ｇ，１Ｂの両モードでの繰り返し周波数ＦＬnormal、ＦＬhighの高低で表現されてもよい。高速モードでの繰り返し周波数ＦＬhighは通常モードでの繰り返し周波数ＦＬnormalよりも高く、本実施形態では通常モードでの繰り返し周波数ＦＬnormalの３倍である。
【００６６】
本実施形態では、プロジェクター１００が照明投写の場合に、ＲＧＢ光源１Ｒ，１Ｇ，１Ｂが高速モードで駆動されることから、画像投写の場合よりも色割れが知覚されにくくなる。また、照明投写の場合に、Ｒ，Ｇ、ＢのＬＥＤが点灯し得る時間期間（点灯可能期間）に重複がないことから光源駆動回路２５（図５）内に同一の回路を重複して備える必要がなくなり、回路構成を簡略化できる。また、画像投写の場合と同様にＲＧＢシーケンシャル駆動を行っているため、駆動制御を簡略化することができる。つまり、照明機器としても機能するプロジェクター１００を提供するにあたりコスト増を防げる。
【００６７】
図４（Ｂ）では、ＲＧＢ光源１Ｒ，１Ｇ，１Ｂが高速モードで駆動されることに併せて、空間光変調装置３に照明投写用の画像（画像データ）が書き込まれる。この画像は、たとえば一様な輝度分布で表される画像である。また、書き込まれた画像は、図４（Ｂ）に示すとおり空間光変調装置３において特にリフレッシュされなくてもよいが、リフレッシュされてもよい。リフレッシュされる場合には、書き込まれる画像がその輝度分布に経時変化を伴うものでもよい。リフレッシュのタイミングは、ＲＧＢ光源１Ｒ，１Ｇ，１Ｂのそれぞれの点灯可能期間の切り換わりのいずれかに合わせることが、視覚的なビートが生じにくいので、好ましい。ただし、リフレッシュの周波数は低いほうが好ましい。消費電力がより少なくなるからである。そこで、たとえば、書き込まれた画像が、ＲＧＢ光源１Ｒ，１Ｇ，１Ｂの繰り返し周波数より低い周波数でリフレッシュすることが考えられる。
【００６８】
ただし、空間光変調装置３がノーマリーホワイト（パラニコル）の液晶ライトバルブを含む場合には、画像（画像データ）が書き込まれなくても空間光変調装置３のそれぞれの画素領域が光を透過させることから、この場合には、ＲＧＢ光源１Ｒ，１Ｇ，１Ｂが高速モードで駆動されているときに、表示コントローラー４が空間光変調装置３に対して画像を書き込むことがなくてもよい。
【００６９】
高速モードの場合に投写される光の色は、ＲＧＢ光源１Ｒ，１Ｇ，１Ｂ間の発光強度比を変更することで変えることができる。また、当該光の色は、ＲＧＢ光源１Ｒ，１Ｇ，１Ｂのそれぞれの点灯可能期間内でのパルス幅（点灯期間幅）を変更することでも変えることができる。
【００７０】
（４．ハードウエア構成）
図５を参照しながら、より具体的なハードウエア構成の観点からプロジェクター１００を説明する。ただし、既出の構成要素に関しては、図において同じ符号を付し、その説明を省略している場合がある。
【００７１】
プロジェクター１００は、バス２０と、ソースの画像に対して解像度変換、さらに色補正や台形補正を施す画像処理回路２１と、画像処理回路２１によって処理された画像に基づいて空間光変調装置３に駆動信号を与えるライトバルブ駆動回路２２と、制御部２３と、受電端子９と電気的に接続された電源回路２４と、ＲＧＢ光源１Ｒ，１Ｇ，１Ｂに駆動信号を与える光源駆動回路２５と、光拡散装置７に駆動信号を与える光拡散駆動回路２６と、リモートコントローラーからの赤外コマンドを受信するＩＲ受信回路２７と、を備えている。これら構成要素は、制御部２３の制御のもとバス２０を介して通信可能である。
【００７２】
制御部２３は、システム・コントローラーと、フラッシュメモリーを含む不揮発性メモリーと、ＲＯＭと、ＲＡＭと、ＣＰＵと、を備えている。不揮発性メモリーには本実施形態で説明した機能を実現するためのオペレーティングソフトウエアとアプリケーションソフトウエアとが格納され、ＲＯＭにはＢＩＯＳが格納されている。不揮発性メモリーまたはＲＯＭには、照明投写用の画像も格納されている。
【００７３】
上述の指定部１０は、制御部２３と電源回路２４とによって実現される。なお、指定部１０の構成は、このような形態に限定されず、フリップフロップ回路を含んだ専用のハードウエアによって実現されてもよい。
【００７４】
また、光源コントローラー２は、制御部２３と光源駆動回路２５とによって実現される。表示コントローラー４は、制御部２３と、画像処理回路２１と、ライトバルブ駆動回路２２とによって実現される。光拡散コントローラー８は、制御部２３と光拡散駆動回路２６とによって実現される。インターフェイス部１１は、制御部２３と、ＩＲ受信回路２７、無線ＬＡＮアダプター１２および筐体上のボタン（不図示）の少なくとも一つと、によって実現される。これら指定部１０、光源コントローラー２、表示コントローラー４、光拡散コントローラー８、およびインターフェイス部１１の構成は、本実施形態によるハードウエア構成に限定されず、同様な機能を発揮する他の均等な構成を含み得る。そして、これらは、それぞれ専用のハードウエアによっても実現され得る。
【００７５】
（５．「照明投写」と「画像投写」）
「照明投写」は、最も広義の定義によれば、プロジェクター１００が照明機器として屋内・室内または屋外にて「灯」を提供する機能を発揮する状態をいう。たとえば、「照明投写」は、プロジェクター１００が照明投写用の画像を被投写面に投写している状態である。また、光拡散装置７が拡散状態にある状態としても定義される。あるいは、ＲＧＢ光源１Ｒ，１Ｇ，１Ｂが高速モードで駆動されている状態として定義されてもよい。「照明投写」とは、上記３つの条件のうちの、少なくとも１つが満たされる場合であればよい。したがって場合によっては、プロジェクター１００が絵画、写真、動画、またはコンピューター画面を投写していても、光拡散装置７が拡散状態にあり、あるいはＲＧＢ光源１Ｒ，１Ｇ，１Ｂが高速モードで駆動されていれば、プロジェクター１００が「照明投写」にあるということがある。
【００７６】
「画像投写」は、最も広義の定義によれば、プロジェクター１００がなんらかの画像を投写している状態をいう。また、「画像投写」は、光拡散装置７が非拡散状態にある状態としても定義される。あるいは、ＲＧＢ光源１Ｒ，１Ｇ，１Ｂが通常モードで駆動されている状態として定義されてもよい。光拡散装置７が中間的な拡散状態にあるときを、画像投写に含めてよい。
【００７７】
（実施形態２）
実施形態２のプロジェクター１００は、コンテンツの再生が終了した場合に照明機器としての機能を発揮し始める点において、実施形態１のプロジェクター１００と異なる。ただし、その他の点では基本的に、実施形態２のプロジェクター１００は実施形態１のプロジェクター１００と同じである。このため、説明の重複を避ける目的で、以下では、実施形態２に固有な構成・機能を説明する。
【００７８】
図６において、ステップＳＡ０からステップＳＡ１２は、それぞれ実施形態１のステップＳ０からステップＳ１２（図３）と基本的に同じである。
【００７９】
図６に示すとおり、ステップＳＡ１０において、表示コントローラー４がコンテンツを再生し始める。そうすると、プロジェクター１００は、コンテンツに基づく画像を投写しつつ、受電端子９への電力の供給が停止されることを待つ状態になる（ＳＡ１１：ＮＯ）。ただし、当該電力の供給が停止される前に、制御部２３（図５）が、ステップＳＡ１０にて開始されたコンテンツの再生が終了したと判定する場合（ＳＡ１３：ＹＥＳ）には、処理はステップＳＡ１の直前に移行する。ここで、ステップＳＡ７においてＮの値が「０」になっているので、ステップＳＡ１によってＮの値は「１」となり、このため、処理は、ステップＳＡ２におけるＹＥＳのルートを経て、ステップＳＡ３，ＳＡ４，ＳＡ５へと進む。この結果、プロジェクター１００の機能は、画像投写の機能から照明投写の機能へ移行する。
【００８０】
処理がステップＳＡ１の直前に移行するタイミングは、コンテンツの再生が終了した後である。つまり、当該移行するタイミングはコンテンツの再生の終了時であってもよいし、コンテンツの再生の終了時から所定期間内にコンテンツの再生の指示または外部からのコンテンツの入力がない場合であってもよい。
【００８１】
ここで、コンテンツの再生が終了した場合とは、プロジェクター１００の内部のフラッシュドライブ、メモリーカードまたは不揮発性メモリーに記憶されたコンテンツの再生が終わった場合と、外部からインターフェイス部１１を介して受信されながら再生されていたコンテンツの当該受信が終わった場合と、コンテンツの再生を停止させるための筐体上のボタン（たとえば停止ボタン）が押された場合などを含む。
【００８２】
以上の構成によって、コンテンツの再生が終了した場合には、プロジェクター１００は、照明機器としての機能を発揮し始める。このため、本実施形態によれば、利便性に優れたプロジェクターを提供することができる。
【００８３】
本実施形態の変形例として、実施形態１とは異なり、受電端子９へ電力が供給され始める毎に照明投写および画像投写の一方が交互に指定される機能が省略されてもよい。この機能が省略されても、上記効果が得られる。
【００８４】
たとえば、プロジェクター１００が起動されると、複数あるコンテンツのいずれを再生するかをユーザーに選択させるためのＵＩ画像を投写するようにプロジェクター１００が構成され得る。そのＵＩ画像に基づいて選択されたコンテンツの再生が終了した場合に、照明機器としての機能を発揮し始めるように、プロジェクター１００が構成されてもよい。この変形例によっても、利便性に優れたプロジェクターを提供することができる。
【００８５】
（実施形態３）
実施形態３のプロジェクター１００は、所定トリガーの入力を待つ状態になることが可能である点と、所定期間内に当該所定トリガーの入力がない場合に照明機器としての機能を発揮し始める点とにおいて、実施形態２のプロジェクター１００と異なる。ただし、その他の点では基本的に、実施形態３のプロジェクター１００は実施形態２のプロジェクター１００と同じである。
【００８６】
図７において、ステップＳＢ０からステップＳＢ９までは、それぞれ図６のステップＳＡ０からステップＳＡ９と基本的に同じである。また、図７において、ステップＳＢ１３からステップＳＢ１６は、それぞれ図６のステップＳＡ１０からステップＳＡ１３と基本的に同じである。
【００８７】
図７に示すとおり、Ｎの値が「１」でない場合（ＳＢ２：ＮＯ）には、ステップＳＢ１０において、コマンドの入力またはコンテンツの入力の待ちが始まる（ＳＢ１０）。具体的には、プロジェクター１００が、その内部のフラッシュドライブ、メモリーカードまたは不揮発性メモリーに記憶されたコンテンツ（内部コンテンツ）を再生するためのコマンドの入力を待ち始め、または外部からプロジェクター１００へのコンテンツ（外部コンテンツ）の入力を待ち始める。ここで、コマンドまたはコンテンツが、上記「トリガー」となる。
【００８８】
本実施形態では、プロジェクター１００へ入力される「トリガー」は、上述のインターフェイス部１１（図５）が受け入れることとなる。インターフェイス部１１が「トリガー」としてコマンドを受け入れる態様には、図示しないリモートコントローラーからの赤外コマンドを受信することと、外部ネットワークからコマンドを受信することと、プロジェクター１００の筐体上のボタン（たとえば再生ボタン）が押されることなどが含まれる。インターフェイス部１１が「トリガー」としてコンテンツを受け入れる場合には、当該コンテンツは、インターフェイス部１１に含まれた無線ＬＡＮアダプター１２によって受信されることとなる。この場合、もちろん、無線ＬＡＮアダプター１２はＰＬＣ（電力線搬送通信）モデムで置き換えられ、受電端子９を介してコンテンツが受信されてもよい。
【００８９】
ステップＳＢ１０においてトリガーの入力の待ちが開始された後、ステップＳＢ１１において、所定期間が経過したか否かを判定する。所定期間は、ステップＳＢ１０が開始された時点からカウントされる。所定期間が経過していない場合（ＳＢ１１：ＮＯ）であって、インターフェイス部１１がトリガーを受け入れた場合（ＳＢ１２：ＹＥＳ）には、表示コントローラー４がコンテンツを再生し始める（ＳＢ１３）。コンテンツの再生が開始された後のステップＳＢ１４、ＳＢ１５、ＳＢ１６は、実施形態２（図６）のステップＳＡ１１、ＳＡ１２、ＳＡ１３と同じである。
【００９０】
インターフェイス部１１がトリガーを受け入れることなく所定期間が経過した場合（ＳＢ１１：ＹＥＳ）には、処理は、ステップＳＢ１の直前に移行する。ここで、ステップＳＢ７においてＮの値が「０」になっているので、ステップＳＢ１によってＮの値は「１」となり、このため、処理は、ステップＳＢ２におけるＹＥＳのルートを経て、ステップＳＢ３，ＳＢ４，ＳＢ５へと進む。この結果、プロジェクター１００の機能は、画像投写の機能から照明投写の機能へ移行する。
【００９１】
以上の構成によって、プロジェクター１００に所定期間内にトリガーの入力がない場合には、プロジェクター１００は、照明機器としての機能を発揮し始める。このため、本実施形態によれば、利便性に優れたプロジェクターを提供することができる。
【００９２】
本実施形態の変形例として、実施形態１、２とは異なり、受電端子９へ電力が供給され始める毎に照明投写および画像投写の一方が交互に指定される機能が省略されてもよい。この機能が省略されても、上記効果が得られる。
【００９３】
たとえば、複数あるコンテンツのいずれを再生するかをユーザーに選択させるためのＵＩ画像を投写するようにプロジェクター１００が構成され得る。そのＵＩ画像を投写し始めてから所定期間内（たとえば１０分内）に上記トリガー（たとえばコンテンツの選択）が与えられない場合に、照明機器としての機能を発揮し始めるように、プロジェクター１００が構成されてもよい。
【００９４】
さらにたとえば、一つのコンテンツの再生が終了した後で、複数あるコンテンツのいずれを次に再生するかをユーザーに選択させるためのＵＩ画像を投写するようにプロジェクター１００が構成され得る。そのＵＩ画像を投写し始めてから所定期間内に上記トリガー（たとえばコンテンツの選択）が与えられない場合に、照明機器としての機能を発揮し始めるように、プロジェクター１００が構成されてもよい。これらの変形例によっても、利便性に優れたプロジェクターを提供することができる。
【００９５】
（変形例１）
光拡散装置７は、ＰＤＬＣ装置以外にも、拡散板を利用した装置、およびフォーカスを調整するレンズを利用した装置のいずれかであってもよいし、これらの３つのうちの組合せであってもよい。
【００９６】
図８に示すとおり、拡散板３０を利用する場合、光拡散装置７Ａは、光を拡散して透過する拡散板３０と、スライドさせることにより当該拡散板３０をプロジェクター１００の光路に挿入したり当該光路から外したりする機械的な機構３１と、を備えている。拡散板３０が挿入される位置は、光路上であればどこでもよく、空間光変調装置３とＲＧＢ光源１Ｒ，１Ｇ，１Ｂとの間の光路上でもよい。この点は、リバースモードＰＤＬＣ装置の場合もＰＤＬＣ装置の場合も同様である。つまり、光拡散装置７Ａは、空間光変調装置３に入射する光および空間光変調装置３から射出される光のいずれを拡散するようにしてもよい。ただし、最も外側の投写レンズより外側であれば、照明投写の場合にＲＧＢ光源１Ｒ，１Ｇ，１Ｂからの光を効率よく利用できるため、好ましい。
【００９７】
拡散板３０はホイールの形状を有していてもよい。このとき、拡散板３０は、光を拡散する部分（拡散度が高い部分）と、実質的に拡散しないで透過する部分（拡散度が低い部分）と、拡散度が中程度の部分と、を含んでいてもよい。そして、光拡散コントローラー８の制御に応じて機構３１が当該ホイールを回転させることで、プロジェクター１００の光路上に、上記３つの部分のいずれかが位置する。
【００９８】
図９に示すとおり、フォーカスを調整するレンズ（フォーカスレンズ）を利用する場合、光拡散装置７Ｂは、投写光学系６に含まれるフォーカスレンズと、当該フォーカスレンズの位置を光路上で変位させる機構と、を備えている。
【００９９】
照明投写の場合に、光拡散コントローラー８は、被投写面（たとえば、スクリーン、壁、テーブル天板、天井）上で投写光のフォーカスが外れるように光拡散装置７Ｂを駆動する。この結果、被投写面上でプロジェクター１００からの光が拡散される。
【０１００】
画像投写の場合に、光拡散コントローラー８は、被投写面上で投写光のフォーカスが合うように光拡散装置７Ｂを駆動する。この結果、被投写面上でプロジェクター１００からの光は実質的に拡散されない。
【０１０１】
光拡散コントローラー８は、画像投写が開始されるたびに毎回、被投写面との間の距離を測って投写光のフォーカスが合うように調整してもよいし、毎回距離を測定することはせずに、一度フォーカスが合うよう調整された場合のレンズの位置を記憶し、照明投写から画像投写への切り換えに応じて、記憶した位置にフォーカスレンズが位置するようにフォーカスレンズを制御してもよい。
【０１０２】
（変形例２）
プロジェクター１００に対するコマンドの送信は、リモートコントローラーからの赤外コマンドの送信、Ｅメールによるコマンドの送信、スマートフォンやタブレット型コンピューター上で機能する専用アプリケーションからのコマンドの送信を含む。後者２つの場合には、プロジェクター１００が、無線ＬＡＮやＰＬＣ（電力線搬送通信）によって、外部ネットワークに接続されている場合に有効である。このため、リモートコントローラー以外にも、パーソナルコンピューター、スマートフォンを含む携帯電話、およびタブレット型コンピューターからもプロジェクター１００を遠隔操作し得る。
【０１０３】
（変形例３）
本実施形態によれば空間光変調装置３は単板の透過型液晶ライトバルブである。ただし、空間光変調装置３は、反射型液晶ライトバルブを含んでもよいし、デジタルミラーデバイス（ＤＭＤ）を含んでもよい。空間光変調装置３が反射型液晶ライトバルブ、デジタルミラーデバイス、その他ライトバルブを含む場合に、照射光学系５および投写光学系６をどのように改変すればよいかは当業者とって自明な範囲である。
【０１０４】
（本実施形態のプロジェクターを用いた演出方法）
本実施形態によれば、光拡散装置７が拡散状態と非拡散状態との間の遷移を周期的に繰り返すことが可能である。このような周期的な繰り返しは、魅力的な照明の演出となり得る。このとき、プロジェクター１００は、光拡散装置７が光を拡散している場合に照明投写用の画像を投写し、光を実質的に拡散していない場合には画像投写用の画像を投写する。あるいは、光拡散装置７が光を拡散していてもしていなくても、プロジェクター１００は画像用データに基づく画像を投写してもよい。
【符号の説明】
【０１０５】
１，１Ｒ，１Ｇ，１Ｂ…光源、２…光源コントローラー、３…空間光変調装置、４…表示コントローラー、５…照射光学系、６…投写光学系、７，７Ａ，７Ｂ…光拡散装置、８…光拡散コントローラー、９…受電端子、１０…指定部、１１…インターフェイス部、１２…無線ＬＡＮアダプター、１３…ＳＳＤ、１４…メモリーカードＩ／Ｏ回路、２０…バス、２１…画像処理回路、２２…ライトバルブ駆動回路、２３…制御部、２４…電源回路、２５…光源駆動回路、２６…光拡散駆動回路、２７…ＩＲ受信回路、３０…拡散板、３１…機構、１００…プロジェクター。
【図１】
2014102270.tif 000003
【図２】
2014102270.tif 000004
【図３】
2014102270.tif 000005
【図４】
2014102270.tif 000006
【図５】
2014102270.tif 000007
【図６】
2014102270.tif 000008
【図７】
2014102270.tif 000009
【図８】
2014102270.tif 000010
【図９】
2014102270.tif 000011
【図１０】
2014102270.tif 000012